(57)【特許請求の範囲】
【請求項１】
熱交換器からの湯とバイパス管を通じて前記熱交換器を迂回させた給水とを混合して出湯することのできる給湯器において、
前記熱交換器側からの流量を調整する第１の流量制御弁と、前記バイパス管を流れる給水の流量を調整する第２の流量制御弁とを備え、
前記第２の流量制御弁の開度の変化速度を前記第１の流量制御弁の開度の変化速度よりも速い速度に設定したことを特徴とする給湯器。
【請求項２】
熱交換器からの湯とバイパス管を通じて前記熱交換器を迂回させた給水とを混合して出湯することのできる給湯器において、
前記熱交換器側からの流量を調整する第１の流量制御弁と、前記バイパス管を流れる給水の流量を調整する第２の流量制御弁とを備え、
前記第１の流量制御弁および前記第２の流量制御弁は、それらの弁体を駆動するモーター部として同一のものをそれぞれ備えて成り、
前記第１の流量制御弁の弁体がその全行程距離を移動するために要する前記モーター部の出力軸の回転量が、前記第２の流量制御弁の弁体がその全行程距離を移動するために要する前記モーター部の出力軸の回転量よりも多いことを特徴とする給湯器。
【請求項３】
熱交換器からの湯とバイパス管を通じて前記熱交換器を迂回させた給水とを混合して出湯することのできる給湯器において、
前記熱交換器側からの流量を調整する第１の流量制御弁と、前記バイパス管を流れる給水の流量を調整する第２の流量制御弁とを備え、
前記第１の流量制御弁および前記第２の流量制御弁は、それらの弁体を駆動するモーター部として同一のものをそれぞれ備えて成り、
前記第１の流量制御弁の弁体の移動する全行程距離が前記第２の流量制御弁のそれよりも長いことを特徴とする給湯器。
【請求項４】
前記熱交換器からの湯と前記バイパス管からの給水との混合比を変化させるとき、前記第１の流量制御弁と前記第２の流量制御弁とを互いの開度が逆方向に変化するように駆動することを特徴とする請求項１、２または３記載の給湯器。
【発明の詳細な説明】
【０００１】
【発明の属する技術分野】
本発明は、熱交換器からの湯とバイパス管を通じて前記熱交換器を迂回させた給水とを混合して出湯することのできる給湯器に関する。
【０００２】
【従来の技術】
従来から使用されている給湯器には、開栓当初からできるだけ設定温度に近い温度の湯を出湯するため、通水の無い状態で熱交換器内の湯を予め所定の高温に保温しておき、出湯を開始する際に熱交換器からの湯とバイパス管を通じて熱交換器を迂回させた給水とを混合して適正な温度の湯を出湯するようにしたものがある。
【０００３】
このような給湯器では、たとえば熱交換器側からの湯の流量を調整する第１の流量制御弁とバイパス管に設けた第２の流量制御弁とを備えるとともに、第１の流量制御弁の開度と第２の流量制御弁の開度とを逆方向に変化させ、バイパス比を短時間で大きく変更するようになっている。
【０００４】
また、出湯開始直後に意図しない熱い湯の出ることを防止するため、出湯が停止したとき、第２の流量制御弁を第１の流量制御弁よりも大きく開いた待機状態に設定し、出湯当初、多量の給水が混合される状態を形成している。出湯開始後は、第２の流量制御弁を次第に絞って全閉状態とし、それ以後は、第１の流量制御弁だけで総流量を制御している。
【０００５】
また、通常はこれら第１、第２の流量制御弁を共通部品化しており、第１の流量制御弁が全開から全閉に至るまでの時間と、第２の流量制御弁が全開から全閉に至るまでの時間はほぼ等しくなっている。すなわち、各弁の開度の変化速度（流量制御速度）は互いに等しくなっている。
【０００６】
【発明が解決しようとする課題】
出湯開始直後の湯温を許容誤差範囲内に確実に収めるためには、できる限りバイパス比を俊敏に変化させる必要がある。一方、出湯温度の制御は、通常、比較的俊敏に変化するバーナーの燃焼量と第１の流量制御弁の流量の双方を制御して行うので、第１の流量制御弁の流量制御速度（開度の変化速度）を速くすると、これら２つの制御における時定数が近接して互いが干渉し、ハンチングが生じ適切な制御を行い難くなる。
【０００７】
したがって、従来から使用されている給湯器のように第１の流量制御弁と第２の流量制御弁の流量制御速度を互いに等しくしたものでは、バイパス比を俊敏に変化させることと、燃焼制御と総流量制御との干渉を避けることとを両立させることが出来ないという問題があった。
【０００８】
本発明は、このような従来の技術が有する問題点に着目してなされたもので、バイパス比を俊敏に変化させることと、燃焼制御と総流量制御との干渉を低減することを両立し得る給湯器を提供すること、および、その際各流量制御弁の部品の共通化により装置価格の低減を図ることを目的としている。
【０００９】
【課題を解決するための手段】
かかる目的を達成するための本発明の要旨とするところは、次の各項の発明に存する。
［１］熱交換器（１３）からの湯とバイパス管（２４）を通じて前記熱交換器（１３）を迂回させた給水とを混合して出湯することのできる給湯器において、
前記熱交換器（１３）側からの流量を調整する第１の流量制御弁（６０）と、前記バイパス管（２４）を流れる給水の流量を調整する第２の流量制御弁（５０）とを備え、
前記第２の流量制御弁（５０）の開度の変化速度を前記第１の流量制御弁（６０）の開度の変化速度よりも速い速度に設定したことを特徴とする給湯器。
【００１０】
［２］熱交換器（１３）からの湯とバイパス管（２４）を通じて前記熱交換器（１３）を迂回させた給水とを混合して出湯することのできる給湯器において、
前記熱交換器（１３）側からの流量を調整する第１の流量制御弁（６０）と、前記バイパス管（２４）を流れる給水の流量を調整する第２の流量制御弁（５０）とを備え、
前記第１の流量制御弁（６０）および前記第２の流量制御弁（５０）は、それらの弁体を駆動するモーター部（８０）として同一のものをそれぞれ備えて成り、
前記第１の流量制御弁の弁体（６４）がその全行程距離を移動するために要する前記モーター部（８０）の出力軸の回転量が、前記第２の流量制御弁の弁体（５４）がその全行程距離を移動するために要する前記モーター部（８０）の出力軸の回転量よりも多いことを特徴とする給湯器。
【００１１】
［３］熱交換器（１３）からの湯とバイパス管（２４）を通じて前記熱交換器（１３）を迂回させた給水とを混合して出湯することのできる給湯器において、
前記熱交換器（１３）側からの流量を調整する第１の流量制御弁（６０）と、前記バイパス管（２４）を流れる給水の流量を調整する第２の流量制御弁（５０）とを備え、
前記第１の流量制御弁（６０）および前記第２の流量制御弁（５０）は、それらの弁体を駆動するモーター部（８０）として同一のものをそれぞれ備えて成り、
前記第１の流量制御弁の弁体（６４）の移動する全行程距離が前記第２の流量制御弁（５０）のそれよりも長いことを特徴とする給湯器。
【００１２】
［４］前記熱交換器（１３）からの湯と前記バイパス管（２４）からの給水との混合比を変化させるとき、前記第１の流量制御弁（６０）と前記第２の流量制御弁（５０）とを互いの開度が逆方向に変化するように駆動することを特徴とする［１］、［２］または［３］記載の給湯器。
【００１３】
前記本発明は次のように作用する。
バイパス管（２４）に設けた第２の流量制御弁（５０）の開度の変化速度を熱交換器（１３）側からの湯の流量を調整する第１の流量制御弁（６０）の開度の変化速度よりも速い速度に設定する。たとえば、第２の流量制御弁の弁体（５４）を駆動するモーターを第１の流量制御弁（６０）の弁体（６４）を駆動するモーターよりも速い速度のものを用いる。これにより、バイパス比を俊敏に変化させることと、燃焼制御と総流量制御との干渉を低減することを両立させることができる。
【００１４】
また、弁体を駆動するモーター部（８０）を共通部品化して第１の流量制御弁（６０）と第２の流量制御弁（５０）とで同一のモーター部（８０）をそれぞれ採用するとともに、第１の流量制御弁の弁体（６４）がその全行程距離を移動するために要するモーター部（８０）の出力軸回転量が、第２の流量制御弁の弁体（５４）がその全行程距離を移動するために要するモーター部（８０）の出力軸回転量よりも大きい側に設定する。
【００１５】
その１つの例として、第１の流量制御弁の弁体（６４）の移動する全行程距離を第２の流量制御弁（５０）のそれよりも長く設定する。たとえば、第１の流量制御弁（６０）の全行程距離を第２の流量制御弁（５０）のそれの２倍に設定すると、第１の流量制御弁（６０）の開度が５０％変化する時間で第２の流量制御弁（５０）の開度は１００％変化する。このように、全行程距離を移動するに要するモーター部（８０）の回転量を異ならしめることで、モーター部（８０）の共通化を図りつつ第２の流量制御弁（５０）の開度の変化速度を第１の流量制御弁（６０）の開度の変化速度よりも速くすることができる。
【００１６】
なお、熱交換器（１３）からの湯とバイパス管（２４）からの給水との混合比を変化させるとき、第１の流量制御弁（６０）と第２の流量制御弁（５０）とを互いの開度が逆方向に変化するように駆動することで、バイパス比をより俊敏に変化させることができる。
【００１７】
【発明の実施の形態】
以下、図面に基づき本発明の一実施の形態を説明する。
各図は本発明の一実施の形態を示している。
本発明にかかる給湯器１０は、水栓あるいは風呂の浴槽内へ給湯する機能と、浴槽内の湯を追い焚きする機能と、設定温度の湯を目標水位まで浴槽に湯張りする自動湯張り機能とを備えている。図１に示すように、給湯器１０は、燃焼室１１を備えており、当該燃焼室１１の下部には、バーナー１２が、燃焼室１１の上部には、バーナー１２からの熱を給水等に伝える熱交換器１３がそれぞれ配置されている。
【００１８】
給湯器１０は、いわゆる１缶２水路型であり、熱交換器１３には給水を流すための給湯用パイプ２１と、追い焚き用に浴槽内の水を循環させる追い焚き用循環パイプ３１の双方が通っており、熱交換器１３はバーナー１２からの熱をこれら双方のパイプ２１、３１内の流体へ伝えて加熱する機能を備えている。
【００１９】
給湯用パイプ２１のうち熱交換器１３の入側へ通じる給水側流路２１ａと、熱交換器１３の出側から延びる出湯側流路２１ｂの間には、固定バイパス路２２と、第２の流量制御弁５０の介挿されたバイパス路２４が接続されている。熱交換器１３で加熱された湯に、固定バイパス路２２、バイパス路２４を通じて給水を混合するとともに、バイパス比を、第２の流量制御弁５０によって制御し得るようになっている。また、給湯用パイプ２１の出湯側流路２１ｂ側には、出湯の総流量やバイパス比を制御するための第１の流量制御弁６０が設けられている。
【００２０】
給湯用パイプ２１の入口部および出口部の近傍にはそれぞれ、通水の有無や通水量を検知するためのフローセンサ２６ａ、２６ｂが設けられている。また、給湯用パイプ２１の入口部近傍には、給水の温度を検知するための入水サーミスタ２７が、熱交換器１３の出口部近傍には、加熱後の湯温を検知するための熱交サーミスタ２８が、さらに給湯用パイプ２１の出口部近傍には、出湯温度を検知するための出湯サーミスタ２９がそれぞれ取り付けられている。また熱交換器１３の給湯フィンパイプのＵベント部には水管サーミスタ２８ａを設けてある。
【００２１】
追い焚き用循環パイプ３１は、浴槽４０内の水を熱交換器１３側へ戻す風呂戻パイプ部３１ａと、熱交換器１３で加熱後の湯を浴槽４０へ送り出す風呂往パイプ部３１ｂとから構成されている。風呂戻パイプ部３１ａの途中には循環ポンプ３２と、風呂戻パイプ部３１ａ内の通水の有無を検知する風呂流水スイッチ３３が設けられている。また、風呂流水スイッチ３３の近傍には、浴槽４０側から流入する湯の温度を検知するための風呂温度サーミスタ３４が取り付けてある。
【００２２】
給湯用パイプ２１の出湯側流路２１ｂと、風呂戻パイプ部３１ａとは、注湯電磁弁３５を備えた注湯パイプ３６で接続されており、熱交換器１３で加熱された給水を注湯パイプ３６を介して浴槽４０へ注湯することができるようになっている。
【００２３】
給排気は、燃焼ファン１４によって燃焼室１１の下方側から給気を送風することによって強制的に行われ、排気は燃焼室１１の上部から排出されるようになっている。バーナー１２近傍には点火装置１５を設けてある。またバーナー１２へ供給される燃焼ガスは、ガス電磁弁１６、元ガス電磁弁１７、ガス切替弁１８によってオンオフ制御される。さらにバーナー１２へ供給される燃焼ガスのガス量は、ガス比例弁１９によって調整される。
【００２４】
給湯器１０は、バーナー１２の燃焼制御や第２の流量制御弁５０、第１の流量制御弁６０の開度（流量）の制御のほか給湯器１０の動作を統括的に制御する制御部７１と、風呂リモコン、メインリモコンなどを含む操作部７２とを備えている。図１には明示していないが、制御部７１には、第２の流量制御弁５０、第１の流量制御弁６０、入水サーミスタ２７、熱交サーミスタ２８。水管サーミスタ２８ａ、出湯サーミスタ２９、各種電磁弁１６〜１９、フローセンサ２６ａ、２６ｂ、燃焼ファン１４など給湯器１０内の各種電装部品が接続されている。なお、制御部７１は、ＣＰＵ（中央処理装置）、ＲＯＭ（リード・オンリ・メモリ）、ＲＡＭ（ランダム・アクセス・メモリ）等を主要部とする回路で構成されている。
【００２５】
図２は、第１の流量制御弁６０の断面を表している。第１の流量制御弁６０は、流体の入口部６１と出口部６２とを備えた水調ボディ６３を備えている。入口部６１から出口部６２へ流す流体の流量調整を行う弁体６４は、水調シャフト６５を回動することによりその軸方向に往動し、当該水調シャフト６５を１８０度回すことで全開の状態から全閉の状態まで（全行程）をほぼ移動するようになっている。
【００２６】
図３、第２の流量制御弁５０の断面を表している。第２の流量制御弁５０は、流体の入口部５１と出口部５２とを備えた水調ボディ５３を備えている。入口部５１から出口部５２へ流す流体の流量調整を行う弁体５４は、水調シャフト５５を回動することによりその軸方向に往動し、当該水調シャフト５５を９０度回すことで全開の状態から全閉の状態までの全行程をほぼ移動するようになっている。なお、ここでは、水調シャフト５５、水調シャフト６５が一定角度回転した際における弁体５４、弁体６４の移動量は互いに等しく、弁体６４の移動する全行程距離が弁体５４の移動する全行程距離の２倍に設定されている。
【００２７】
図４は、第１の流量制御弁６０および第２の流量制御弁５０に共通使用されるモーター部８０の要部断面を示している。モーター部８０は、内部にモーター８１と減速ギア部８２とを備えている。出力軸８３は、図中、下方を向いており、その端部は第１の流量制御弁６０、第２の流量制御弁５０の水調シャフト６５、５５をはめ込むための雌型形状部８４を成している。
【００２８】
図５は、モーター部８０の出力軸８３の回転角度と、第２の流量制御弁５０、第１の流量制御弁６０における流量（開度）との関係を示したものである。第１の流量制御弁６０は、モーター部８０の出力軸８３が１８０度回転することによって、流量９１が０％から１００％へ変化するのに対して、第２の流量制御弁５０は、モーター部８０の出力軸８３が９０度回転した時点でその流量９２が１００％に到達する。第２の流量制御弁５０と第１の流量制御弁６０は、同一仕様のモーター部８０で駆動され、それらの出力軸８３の回転速度は互いに等しい。従って、第２の流量制御弁５０の開度の変化速度は第１の流量制御弁６０のそれの約２倍になる。
【００２９】
図６は、第１の流量制御弁６０と第２の流量制御弁５０とを並行して逆方向に駆動した場合におけるバイパス比の変化を示したものである。縦軸は、第２の流量制御弁５０と第１の流量制御弁６０の流量を合計したものに対する第２の流量制御弁５０の流量の比率を示している。
【００３０】
また横軸は、モーター部８０の有する出力軸８３の回転量を示しており、ここでは、出力軸８３が１８０度回転する量を３０ステップとして示している。たとえば、第２の流量制御弁５０と第１の流量制御弁６０とがともに３０ステップかけて全開から全閉の状態に移行する場合には、バイパス比は実線９３で示すように変化する。すなわち、ステップ０の位置９７では、第２の流量制御弁５０が全開かつ第１の流量制御弁６０が全閉の状態にあり（バイパス比１００％）、第２の流量制御弁５０を駆動する出力軸８３は閉方向に、第１の流量制御弁６０を駆動する出力軸８３は開方向にそれぞれ１８０度（３０ステップ）回転し終えたとき（位置９８）、バイパス比は０％になる。
【００３１】
また、第２の流量制御弁５０、第１の流量制御弁６０がともに９０度（１５ステップ）で全開状態から全閉状態に変化する場合には、バイパス比は実線９４で示すように変化する。このように全閉から全開までに要する出力軸８３の回転量が、第２の流量制御弁５０と第１の流量制御弁６０とで互いに等しい場合には、バイパス比は図示するように直線的に変化する。
【００３２】
一方、第２の流量制御弁５０が９０度（１５ステップ）で全開から全閉まで変化し、第１の流量制御弁６０が全開から全閉まで１８０度（３０ステップ）で変化する場合には、実線９５あるいは実線９６で示すようにバイパス比が変化する。すなわち、第２の流量制御弁５０が全開で第１の流量制御弁６０が全閉の状態（９７）から、第２の流量制御弁５０を閉方向に第１の流量制御弁６０を開方向にそれぞれ同時に駆動すると、各モーター部８０の出力軸８３が９０度（ステップ０〜ステップ１５）回転する間に、バイパス比は、実線９５に示すように１００％から０％に変化する。ステップ１５からステップ３０までの間は、第２の流量制御弁５０が全閉状態のままで、第１の流量制御弁６０の開度が次第に増加する。したがって、バイパス比は０％を維持しているが、総流量はこの間徐々に増加する。
【００３３】
また第１の流量制御弁６０が全開で第２の流量制御弁５０が全閉の状態（９８）から、第２の流量制御弁５０を開方向に第１の流量制御弁６０を閉方向にそれぞれ同時に駆動すると、各モーター部８０の出力軸８３が９０度（３０ステップ〜１５ステップ）回転する間に、バイパス比は、実線９６に示すように０％から約７０％（位置９９）へと変化する。これ以後、第２の流量制御弁５０は全開状態のままであるが、第１の流量制御弁６０が次第に閉じるので、徐々にバイパス比は１００％に近づくことになる。
【００３４】
このように、第２の流量制御弁５０の流量制御速度（開度の変化速度）を大きくすることで、第１の流量制御弁６０の流量制御速度を現状（１８０度で全開から全閉に変化する設定）のまま維持しつつ、バイパス比を急峻に変化させることができる。
【００３５】
本給湯器１０は、出湯開始当初からほぼ設定温度の湯を出湯する機能を備えている。当該機能を実現するため、出湯されない状態下で熱交換器１３内の湯を所定の高温に保温し、出湯開始時に給水をバイパス路２４を通じて混合し、設定温度まで湯温を下げて出湯するようになっている。また出湯開始当初、必要以上に高温の湯が出ないように、出湯前の待機状態において予め出湯開始時のバイパス比が大きくなるように第２の流量制御弁５０と第１の流量制御弁６０の開度をそれぞれ設定している。ここでは、第２の流量制御弁５０を約７０％の開度に、第１の流量制御弁６０を約３０％の開度にそれぞれ設定して出湯を待機している。
【００３６】
出湯が開始すると、第２の流量制御弁５０を次第に全閉状態へ向けて絞り、第１の流量制御弁６０だけで総流量制御を行い得る状態に移行させるが、上述のように第２の流量制御弁５０の流量制御速度を第１の流量制御弁６０のそれよりも大きくしているので、第２の流量制御弁５０だけで総流量制御を行う、バイパス比０％の状態へ短時間のうちに移行することができる。また、バイパス比を素早く変化させることができるので、出湯当初からほぼ設定温度の湯を出すことができる。
【００３７】
第２の流量制御弁５０を全閉した後は、出湯温度の制御は、バーナー１２の燃焼量を調整する燃焼制御と第１の流量制御弁６０の流量を調整する総流量制御の双方を用いて行われる。すなわち、設定温度よりも出湯温度が高い場合には、バーナーの燃焼量を小さくすることと、第１の流量制御弁６０の流量をあげることが並行して行われる。ここで、バーナーの燃焼制御の時定数と第１の流量制御弁６０による流量制御の時定数が近接すると、互いの制御が干渉してハンチングが起こり、出湯温度を適切に制御することが難しくなる。
【００３８】
本実施の形態では、バイパス比を急峻に変化させるために第２の流量制御弁５０の流量制御速度だけを大きくし、第１の流量制御弁６０の流量制御速度を大きく設定していないので、比較的俊敏に変化するバーナーの燃焼制御と第１の流量制御弁６０による総流量制御との間で時定数の差を一定以上確保され、ハンチング現象が起こり難く、出湯温度の制御を容易に行うことができる。
【００３９】
また、先にも述べたように、出湯が停止したとき、第２の流量制御弁５０および第１の流量制御弁６０の開度をそれぞれ次回の出湯に備えて待機位置へ変化させるが、出湯停止後、待機位置へ移行している最中に出湯が再開された場合であっても、第２の流量制御弁５０の開度の変化速度が第１の流量制御弁６０の開度の変化速度より速いので、出湯再開当初に熱い湯の出ることを防止することができる。
【００４０】
すなわち、第２の流量制御弁５０の開度の変化速度が第１の流量制御弁６０の開度の変化速度より速いので、待機位置へ移行中に出湯が再開されても、第２の流量制御弁５０の弁体の方が、第１の流量制御弁６０の弁体よりも待機位置により近い位置まで移行している可能性が高い。したがって、バイパス比の高い状態での出湯となり、意図しない熱い湯の出ることが防止される。
【００４１】
以上説明した実施の形態では、モーター部８０を共通化しつつ第２の流量制御弁５０側の開度の変化速度を第１の流量制御弁６０のそれよりも大きくするために、第２の流量制御弁５０の弁体５４の全行程距離を第１の流量制御弁６０の弁体６４の全行程距離よりも大きくしたが、出力軸８３の単位回転量に対する弁体５４の移動量を、弁体６４のそれよりも大きくするようにしてもよい。
【００４２】
また、モーター部８０を共通化せず、第２の流量制御弁５０を駆動するモーターを第１の流量制御弁６０を駆動するモーターよりその回転速度の高いものを用いるようにしてもよい。
【００４３】
さらに実施の形態では、第２の流量制御弁５０の開度の変化速度を第１の流量制御弁６０の開度の変化速度の２倍に設定したが、第２の流量制御弁５０の開度の変化速度が第１の流量制御弁６０のそれよりも大きい値であれば、開度の変化速度の比は例示したものに限られない。
【００４４】
なお、実施の形態では１缶２水路型の給湯器を例に説明したが、風呂の追い焚きと給湯とを個別の熱交換器で行うものであってもよい。
【００４５】
【発明の効果】
本発明にかかる給湯器によれば、バイパス管に設けた第２の流量制御弁の開度の変化速度を熱交換器側からの湯の流量を調整する第１の流量制御弁の開度の変化速度よりも速い速度に設定したので、バイパス比を俊敏に変化させることと、燃焼制御と総流量制御との干渉を低減することを両立させることができる。
【００４６】
また、第２の流量制御弁の弁体がその全行程距離を移動するのに要するモーター部の回転量を第２の流量制御弁の弁体がその全行程距離を移動するのに要するモーター部の回転量より小さくしたので、モーター部の共通化を図りつつ第２の流量制御弁の開度の変化速度を第１の流量制御弁の開度の変化速度よりも速くすることができる。
【図面の簡単な説明】
【図１】本発明の一実施の形態に係る給湯器を示す説明図である。
【図２】本発明の一実施の形態に係る給湯器の有する第１の流量制御弁を示す断面図である。
【図３】本発明の一実施の形態に係る給湯器の有する第２の流量制御弁を示す断面図である。
【図４】本発明の一実施の形態に係る給湯器の有する第１の流量制御弁および第２の流量制御弁に共通使用されるモーター部を示す説明図である。
【図５】モーター部の出力軸の回転角度に対する第２の流量制御弁および第１の流量制御弁の開度の変化特性を示す説明図である。
【図６】第２の流量制御弁と第１の流量制御弁とを逆方向に並行して駆動した場合におけるバイパス比の変化を示す説明図である。
【符号の説明】
１０…給湯器
１２…バーナー
１３…熱交換器
２１…給湯用パイプ
２２…固定バイパス路
２４…バイパス路
２９…出湯サーミスタ
３１…追い焚き用循環パイプ
５０…第２の流量制御弁
５４、６４…弁体
５５、６５…水調シャフト
６０…第１の流量制御弁
７１…制御部
８０…モーター部
８３…出力軸
【図１】
0003792364.tif 000002
【図２】
0003792364.tif 000003
【図３】
0003792364.tif 000004
【図４】
0003792364.tif 000005
【図５】
0003792364.tif 000006
【図６】
0003792364.tif 000007